【手続補正書】
【提出日】平成21年4月17日(2009.4.17)
【手続補正１】
【補正対象書類名】特許請求の範囲
【補正対象項目名】全文
【補正方法】変更
【補正の内容】
【特許請求の範囲】
【請求項１】
互いに通信接続される映像表示装置及び携帯型映像表示装置を含む映像表示システムであって、
前記映像表示装置は、
当該映像表示装置による表示対象となる自装置用映像データを生成する自装置用映像データ生成手段と、
当該映像表示装置による再生対象となる自装置用音声データを生成する自装置用音声データ生成手段と、
前記生成した自装置用映像データを表示するとともに、前記生成した自装置用音声データを再生する映像及び音声出力手段と、
前記自装置用映像データとは異なるデータ形式の他装置用映像データを生成する他装置用映像データ生成手段と、
前記自装置用音声データとは異なるデータ形式の他装置用音声データを生成する他装置用音声データ生成手段と、
前記他装置用映像データ及び他装置用音声データを前記携帯型映像表示装置に対して送信するデータ送信手段と、
を含み、
前記携帯型映像表示装置は、
前記送信された他装置用映像データ及び他装置用音声データを受信するデータ受信手段と、
前記受信した他装置用映像データを表示するとともに、前記受信した他装置用音声データを再生する映像及び音声出力手段と、
を含む
ことを特徴とする映像表示システム。
【請求項２】
請求項１記載の映像表示システムにおいて、
前記他装置用映像データ生成手段は、前記自装置用映像データ生成手段が生成した自装置用映像データを用いて、前記他装置用映像データを生成し、
前記他装置用音声データ生成手段は、前記自装置用音声データ生成手段が生成した自装置用音声データを用いて、前記他装置用音声データを生成する
ことを特徴とする映像表示システム。
【請求項３】
請求項２記載の映像表示システムにおいて、
前記他装置用映像データ生成手段は、前記自装置用映像データ生成手段が生成した自装置用映像データを、前記携帯型映像表示装置で処理可能なデータ形式に符号化して、前記他装置用映像データを生成し、
前記他装置用音声データ生成手段は、前記他装置用音声データ生成手段が生成した他装置用音声データを、前記携帯型映像表示装置で処理可能なデータ形式に符号化して、前記他装置用音声データを生成する
ことを特徴とする映像表示システム。
【請求項４】
携帯型映像表示装置と通信接続される映像表示装置であって、
当該映像表示装置による表示対象となる自装置用映像データを生成する自装置用映像データ生成手段と、
当該映像表示装置による再生対象となる自装置用音声データを生成する自装置用音声データ生成手段と、
前記生成した自装置用映像データを表示するとともに、前記生成した自装置用音声データを再生する映像及び音声出力手段と、
前記自装置用映像データ生成手段が生成した自装置用映像データ、及び前記自装置用音声データ生成手段が生成した自装置用音声データを、前記携帯型映像表示装置で処理可能なデータ形式に符号化して、他装置用映像データ及び他装置用音声データを生成する符号化手段と、
前記他装置用映像データ及び他装置用音声データを前記携帯型映像表示装置に対して送信するデータ送信手段と、
を含むことを特徴とする映像表示装置。
【請求項５】
請求項４に記載の映像表示装置において、
前記符号化手段は、前記自装置用映像データを前記携帯型映像表示装置で表示可能なサイズに変換し、当該サイズを変換した自装置用映像データを符号化して、前記他装置用映像データを生成する
ことを特徴とする映像表示装置。
【請求項６】
請求項４又は５に記載の映像表示装置において、
前記符号化手段は、前記自装置用音声データのチャネル数を低減し、当該チャネル数を低減した自装置用音声データを符号化して、前記他装置用音声データを生成する
ことを特徴とする映像表示装置。
【請求項７】
請求項４乃至６のいずれか一項に記載の映像表示装置において、
前記自装置用映像データ生成手段は、記憶手段に記憶されている符号化された映像データを復号することで、前記自装置用映像データを生成し、
前記自装置用音声データ生成手段は、前記記憶手段に記憶されている符号化された音声データを復号することで、前記自装置用音声データを生成し、
前記符号化手段は、前記自装置用映像データ又は前記自装置用音声データの少なくとも一方を、前記記憶手段に記憶されている符号化された映像データ及び音声データとは異なるデータ形式に符号化する
ことを特徴とする映像表示装置。
【請求項８】
請求項４乃至７のいずれか一項に記載の映像表示装置において、
前記符号化手段は、前記自装置用映像データ又は前記自装置用音声データの少なくとも一方を、前記携帯型映像表示装置から受信した情報に基づいて選択したデータ形式に符号化する
ことを特徴とする映像表示装置。
【請求項９】
請求項４乃至８のいずれか一項に記載の映像表示装置において、
前記携帯型映像表示装置が送信する接続開始要求及び接続終了要求を受信し、当該接続開始要求の受信に応じて表示モードを他装置表示モードに切り替え、当該接続終了要求の受信に応じて表示モードを自装置表示モードに切り替える表示モード切り替え手段をさらに含み、
前記自装置用映像データ生成手段は、前記生成した自装置用映像データを、表示モードが自装置表示モードの場合には所定のフレームバッファに、他装置表示モードの場合には前記フレームバッファとは異なるメモリ領域に、それぞれ出力し、
前記自装置用音声データ生成手段は、前記生成した自装置用音声データを、表示モードが自装置表示モードの場合には所定のサウンドバッファに、他装置表示モードの場合には前記サウンドバッファとは異なるメモリ領域に、それぞれ出力し、
前記映像及び音声出力手段は、前記フレームバッファから自装置用映像データを読み出して表示するとともに、前記サウンドバッファから自装置用音声データを読み出して再生し、
前記符号化手段は、前記メモリ領域から自装置用映像データ及び自装置用音声データを読み出して符号化する
ことを特徴とする映像表示装置。
【請求項１０】
複数の携帯型映像表示装置と通信接続される請求項４乃至９のいずれか一項に記載の映像表示装置において、
前記各携帯型映像表示装置を複数のグループのいずれかに関連づける情報を保持する情報保持手段をさらに含み、
前記符号化手段は、前記各グループに応じて、互いに同じ又は異なる複数の前記他装置用映像データ及び前記他装置用音声データを生成し、
前記データ送信手段は、前記各グループに応じて生成された前記他装置用映像データ及び前記他装置用音声データを、前記保持された情報において当該各グループに関連づけられた前記携帯型映像表示装置に対して送信する
ことを特徴とする映像表示装置。
【請求項１１】
携帯型映像表示装置と通信接続される映像表示装置の制御方法であって、
当該映像表示装置による表示対象となる自装置用映像データを生成するステップと、
当該映像表示装置による再生対象となる自装置用音声データを生成するステップと、
前記生成した自装置用映像データを表示するとともに、前記生成した自装置用音声データを再生するステップと、
前記生成された自装置用映像データ及び前記生成された自装置用音声データを、前記携帯型映像表示装置で処理可能なデータ形式に符号化して、他装置用映像データ及び他装置用音声データを生成するステップと、
前記他装置用映像データ及び他装置用音声データを前記携帯型映像表示装置に対して送信するステップと、
を含むことを特徴とする映像表示装置の制御方法。
【請求項１２】
携帯型映像表示装置と通信接続される映像表示装置を、
当該映像表示装置による表示対象となる自装置用映像データを生成する自装置用映像データ生成手段、
当該映像表示装置による再生対象となる自装置用音声データを生成する自装置用音声データ生成手段、
前記生成した自装置用映像データを映像表示手段に表示させるとともに、前記生成した自装置用音声データを音声再生手段に再生させる映像及び音声出力手段、
前記自装置用映像データ生成手段が生成した自装置用映像データ、及び前記自装置用音声データ生成手段が生成した自装置用音声データを、前記携帯型映像表示装置で処理可能なデータ形式に符号化して、他装置用映像データ及び他装置用音声データを生成する符号化手段、及び
前記他装置用映像データ及び他装置用音声データを前記携帯型映像表示装置に対して送信するデータ送信手段、
として機能させることを特徴とするプログラム。